(57)【要約】【課題】摩耗状況を容易に判断でき、メンテナンス性を向上させることができる案内輪、走行台車、及び車両を提供する。【解決手段】軌道に沿って延在する案内レールに接する環状のトレッド部６１と、軸方向に沿うトレッド部６１の両端縁に連設され、径方向の内側に向けて延びる一対のサイドウォール部６２と、を備え、車両を軌道に沿って案内する案内輪３３であって、サイドウォール部６２には、周方向の全周に亘って突条部６３ａ，６３ｂが設けられていることを特徴とする。【選択図】図７
2015113046.tif 000002
【特許請求の範囲】
【請求項１】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内する案内輪であって、
前記サイドウォール部には、周方向の全周に亘って摩耗表示部が設けられていることを特徴とする案内輪。
【請求項２】
請求項１記載の案内輪において、
前記摩耗表示部は、径方向に間隔をあけて複数設けられていることを特徴とする案内輪。
【請求項３】
請求項１または請求項２記載の案内輪において、
前記摩耗表示部は、軸方向に沿って凹状または凸状を呈していることを特徴とする案内輪。
【請求項４】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内する案内輪であって、
前記トレッド部には、径方向の内側に向けて窪むとともに、径方向から見た前記トレッド部の側面視形状が摩耗に伴って変化する摩耗表示部が設けられていることを特徴とする案内輪。
【請求項５】
請求項４記載の案内輪において、
前記摩耗表示部は、径方向に沿う深さが異なる複数の穴部を備えていることを特徴とする案内輪。
【請求項６】
請求項４または請求項５記載の案内輪において、
前記摩耗表示部は、径方向の内側に向かうに従い内径が縮小する穴部を備えていることを特徴とする案内輪。
【請求項７】
請求項４または請求項５記載の案内輪において、
前記摩耗表示部は、前記トレッド部の全周に亘って延びるとともに、径方向の内側に向かうに従い幅が縮小する溝部を備えていることを特徴とする案内輪。
【請求項８】
請求項１から請求項７の何れか１項に記載の案内輪において、
光透過性を有する材料により構成されていることを特徴とする案内輪。
【請求項９】
車軸に連結された走行輪と、
前記案内レールに案内される案内装置と、を備え、
前記案内装置は、請求項１から請求項８の何れか１項に記載の案内輪を有していることを特徴とする走行台車。
【請求項１０】
車体と、
前記車体の下部に設けられた請求項９記載の走行台車と、を備えていることを特徴とする車両。
【発明の詳細な説明】
【技術分野】
【０００１】
本発明は、案内輪、走行台車、及び車両に関する。
【背景技術】
【０００２】
バスや鉄道以外の新たな交通手段として、ゴムタイヤ等からなる走行輪によって軌道上を走行する軌道系交通システムが知られている。このような軌道系交通システムは、一般に新交通システムやＡＰＭ（Ａｕｔｏｍａｔｅｄ  Ｐｅｏｐｌｅ  Ｍｏｖｅｒ）と呼ばれている。
【０００３】
この種の軌道系交通システムの車両は、車軸に連結された走行輪と、軌道に沿って設けられた案内レールに接触して転動する案内輪を有する案内装置と、を備え、案内装置の案内輪が案内レールに案内されることで、各走行輪が操舵されて軌道上を走行するようになっている。
案内装置は、車幅方向に沿って延在する案内枠を備え、案内枠の両端部に配設された輪軸の軸心に対して偏心した状態で上述した案内輪が回転可能に設けられている。
【０００４】
上述した軌道系交通システムの車両では、案内装置の案内幅（車幅方向の両端部に位置する案内輪のうち、最外部間の距離）を所望の範囲内に調整する必要がある。仮に案内幅が所望の幅よりも狭い場合には、案内輪と案内レールとの隙間が大きくなり、走行輪のスムーズな操舵が行われないおそれがある。また、案内幅が所望の幅よりも広い場合には、案内輪の損傷や、案内枠または案内レールの損傷に繋がるおそれがある。
そこで、案内装置では、案内輪の摩耗が大きくなるに従い、案内輪を輪軸の軸心周りに沿う車幅方向の外側に移動させ、案内幅を一定に保つようにメンテナンスが行われている。
【先行技術文献】
【特許文献】
【０００５】
【特許文献１】実公昭５３−１９９０１号公報
【発明の概要】
【発明が解決しようとする課題】
【０００６】
ところで、自動車等の車両に用いられるタイヤでは、トレッド部の摩耗状況を示すものとして、トレッド部の溝内において、周方向の一部に摩耗表示部が設けられた構成が知られている（例えば、特許文献１参照）。
【０００７】
しかしながら、上述した軌道系交通システムに用いられる案内輪にあっては、案内輪に摩耗表示部を形成することについて考慮されていなかった。この場合、案内輪の摩耗限度は目視では判断し難い程小さいため（例えば３ｍｍ程度）、スケールや治具等を用いて摩耗状況を計測する必要があり、メンテナンス作業が煩雑であるという課題がある。
また、案内輪の摩耗速度は、各位置でばらつきがあり、各案内輪ごとに摩耗の程度を計測し、各案内輪ごとに偏心位置を調整する必要がある。これによっても、メンテナンス作業が煩雑となる。
【０００８】
そこで、本発明は、上述した事情に鑑みてなされたものであって、摩耗状況を容易に判断でき、メンテナンス性を向上させることができる案内輪、走行台車、及び車両の提供を目的とするものである。
【課題を解決するための手段】
【０００９】
上記課題を解決するために、本発明に係る案内輪では、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内する案内輪であって、前記サイドウォール部には、周方向の全周に亘って摩耗表示部が設けられていることを特徴とする。
【００１０】
そして、このような構成の案内輪によれば、案内輪のサイドウォール部に摩耗表示部を形成することで、案内輪の摩耗状況を目視により確認することができる。これにより、従来のようにスケールや治具等を用いて摩耗状況を確認する場合に比べて、メンテナンス作業が容易になり、メンテナンス性の向上を図ることができる。
また、径方向に沿うトレッド部と摩耗表示部との距離に基づき、摩耗の限度を判断できるので、各案内輪ごとの交換時期や偏心位置の調整時期等の管理が行い易くなる。
しかも、サイドウォール部に摩耗表示部を設けることで、軸方向が上下方向に一致するように設けられた案内輪に対して、案内輪を軸方向から見た平面視で摩耗状況を確認することができる。したがって、例えば案内輪のトレッド部に摩耗表示部を設け、案内輪の径方向から見た側面視で摩耗状況を確認する場合に比べてメンテナンス性の更なる向上を図ることができる。
【００１１】
ところで、軌道系交通システムの車両に用いられる案内輪は、車両の走行時において常に回転しているのではなく、案内レールに接触した時点で回転を始めることから、トレッド部の摩耗状況が周方向でばらつく、いわゆる異常摩耗が発生するおそれがある。異常摩耗としては、トレッド部が軸方向から見た平面視で多角形状に摩耗する多角形摩耗や、トレッド部のうち一部が局所的に平面状に摩耗するフラット摩耗等がある。
これに対して、サイドウォール部の全周に亘って摩耗表示部を形成することで、仮に異常摩耗が発生した場合には、径方向に沿う異常摩耗の発生部分と摩耗表示部との距離が、異常摩耗の発生以外の部分と摩耗表示部との距離に比べて異なることにより、異常摩耗の発生を容易に判断することができる。
【００１２】
また、前記摩耗表示部は、径方向に間隔をあけて複数設けられていることを特徴とする。
この構成によれば、摩耗表示部が径方向に間隔をあけて複数設けられているため、トレッド部の摩耗状況を段階的に判断することも可能になる。これにより、案内輪の偏心位置の調整時期や交換時期等を適切に判断することができる。
【００１３】
また、前記摩耗表示部は、軸方向に沿って凹状または凸状を呈していることを特徴とする。
この構成によれば、摩耗表示部が軸方向に沿って凹状または凸状を呈しているため、摩耗状況を視覚により判断し易くなる。
【００１４】
また、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内する案内輪であって、前記トレッド部には、径方向の内側に向けて窪むとともに、径方向から見た前記トレッド部の側面視形状が摩耗に伴って変化する摩耗表示部が設けられていることを特徴とする。
この構成によれば、トレッド部の摩耗状況に伴って径方向から見たトレッド部の側面視形状が変化する摩耗表示部を設けることで、案内輪の摩耗状況を目視により確認することができる。これにより、従来のようにスケールや治具等を用いて摩耗状況を確認する場合に比べて、メンテナンス作業が容易になり、メンテナンス性の向上を図ることができる。
また、径方向から見たトレッド部の側面視形状に基づき、摩耗の限度を判断できるので、各案内輪ごとの交換時期や偏心位置の調整時期等の管理が行い易くなる。
【００１５】
また、前記摩耗表示部は、径方向に沿う深さが異なる複数の穴部を備えていることを特徴とする。
この構成によれば、複数の穴部が外部に露出した状態を初期状態とすると、トレッド部の摩耗が進行することで、深さの浅い穴部から徐々に消滅することになる。これにより、トレッド部の摩耗状況を目視により確認することができ、メンテナンス性の向上を図ることができる。
【００１６】
また、前記摩耗表示部は、径方向の内側に向かうに従い内径が縮小する穴部を備えていることを特徴とする。
この構成によれば、摩耗の進行に伴い外部に露出する穴部の内径が変化することになる。これにより、トレッド部の摩耗状況に伴って径方向から見たトレッド部の側面視形状が変化することになり、トレッド部の摩耗状況を目視により確認することができる。
【００１７】
また、前記摩耗表示部は、前記トレッド部の全周に亘って延びるとともに、径方向の内側に向かうに従い幅が縮小する溝部を備えていることを特徴とする。
この構成によれば、摩耗の進行に伴い外部に露出する溝部の幅が変化することになる。これにより、トレッド部の摩耗状況に伴って径方向から見たトレッド部の側面視形状が変化することになり、トレッド部の摩耗状況を目視により確認することができる。
【００１８】
また、光透過性を有する材料により構成されていることを特徴とする。
この構成によれば、案内輪が光透過性を有する材料により形成されているため、案内輪の内部が目視可能になる。この場合、例えば軸方向が上下方向に一致するように設けられた案内輪に対して、トレッド部に形成された穴部の摩耗状況を、案内輪を上方から見た平面視で確認することができる。これにより、メンテナンス性の向上を図ることができる。
【００１９】
また、本発明に係る走行台車では、車軸に連結された走行輪と、前記案内レールに案内される案内装置と、を備え、前記案内装置は、上記本発明の案内輪を有していることを特徴とする。
この構成によれば、上記本発明の案内輪を備えているため、メンテナンス性に優れ、安定した走行が可能な走行台車を提供できる。
【００２０】
また、車体と、前記車体の下部に設けられた上記本発明の走行台車と、を備えていることを特徴とする。
この構成によれば、上記本発明の案内輪を備えているため、メンテナンス性に優れ、安定した走行が可能な車両を提供できる。
【発明の効果】
【００２１】
本発明の案内輪、走行台車、及び車両では、摩耗状況を容易に判断でき、メンテナンス性を向上させることができる。
【図面の簡単な説明】
【００２２】
【図１】車両の平面図である。
【図２】図１のＡ矢視図である。
【図３】図１のＢ部における拡大平面図である。
【図４】図３のＣ−Ｃ線に沿う部分断面図である。
【図５】案内輪が中間位置にある場合の図３に相当する平面図である。
【図６】案内輪が最終位置にある場合の図３に相当する平面図である。
【図７】（ａ）は第１実施形態における主案内輪の平面図であり、（ｂ）は（ａ）のＥ−Ｅ線に沿う断面図である。
【図８】第１実施形態の変形例における図７（ｂ）に相当する断面図である。
【図９】（ａ）は第２実施形態における主案内輪の平面図であり、（ｂ）は（ａ）のＦ−Ｆ線に沿う断面図である。
【図１０】第２実施形態の変形例における図９（ｂ）に相当する断面図である。
【発明を実施するための形態】
【００２３】
次に、本発明の実施形態を図面に基づいて説明する。
［第１実施形態］
図１、図２に示すように、車両１は、軌道５（図２参照）に設けられた案内レール６によって案内されながら軌道５上を走行する軌道系交通システムの車両である。本実施形態において、車両１は、軌道５の幅方向両側に、軌道５の延在方向に沿って延びる案内レール６が設けられた側方案内軌条式（サイドガイド方式）の交通システムの車両となっている。
【００２４】
また、案内レール６は、軌道５の両側に配置された主案内レール６ａと、軌道５が分岐する分岐部に設けられるとともに、主案内レール６ａの下方に位置する分岐案内レール６ｂと、を備えている。なお、分岐案内レール６ｂは、軌道５の分岐部のみに配置されているが、図示の例では便宜上分岐案内レール６ｂを鎖線で示している。
【００２５】
＜車両＞
車両１は、軌道５上を走行する走行台車２と、走行台車２に支持された車体３と、を備えている。
なお、以下の説明における前後上下左右等の向きは、特に記載が無ければ車両１の向きと同一とする。また、以下では、車両１の前後方向に沿う矢印Ｄ方向を前方、矢印Ｄ方向と逆方向を後方とする。
【００２６】
車体３は、前後方向に長い直方体形状を呈し、その内部に乗客を収容可能な空間が形成されている。そして、車体３下部の前後に、上述した走行台車２が一対で設けられている。なお、前側の走行台車２と後側の走行台車２とは、前後の向きが逆になっていること以外は同一構成であるため、以下では代表して一方（前側）の走行台車２について説明する。
【００２７】
＜走行台車＞
走行台車２は、車軸１１の両端部に連結されたタイヤ（走行輪）１２と、車軸１１を回転可能に支持する懸架装置１３と、案内レール６に案内される案内装置１４と、案内装置１４の変位に応じてタイヤ１２を操舵する操舵機構１５（図１参照）と、を備えている。
【００２８】
車軸１１の両端部には、キングピン（不図示）を介してタイヤ取付軸１６が各別に設けられている。キングピンは、タイヤ１２の操舵軸として機能するものであり、上下方向に沿って延在するとともに、車軸１１に対してタイヤ取付軸１６をキングピン周りに揺動可能に支持している。そして、各タイヤ取付軸１６に、上述したタイヤ１２が各別に取り付けられている。タイヤ１２は、ゴム等の弾性を有する材料からなり、各タイヤ取付軸１６に一つずつ取り付けられたシングルタイヤとなっている。なお、タイヤ１２としては、例えば内部に中子が収納された中子式のタイヤ１２を用いてもよく、また一般のトラックやバス等に用いられる中子なしのタイヤ１２を用いても構わない。
【００２９】
図１に示すように、懸架装置１３は、車軸１１を回転可能に支持する車軸支持体２１と、車軸支持体２１と車体３との間に配置された左右一対の空気ばね（不図示）と、車体３に対して車軸支持体２１を上下方向に変位可能に支持するリンク機構（不図示）と、を有している。
【００３０】
図１、図２に示すように、案内装置１４は、懸架装置１３の下方に配設された案内枠３１と、案内枠３１に回転可能に支持された案内輪３３（主案内輪３３ａ及び分岐案内輪３３ｂ）と、を備えている。
案内枠３１は、上下方向から見た平面視で井桁状に組み込まれたものであって、前後方向に沿って延びる左右一対の縦梁３４と、これら縦梁３４の前後方向に沿う両端部に連結されるとともに、左右方向に沿って延びる一対の横梁３５と、を備えている。
【００３１】
縦梁３４は、前後方向に沿う両端部がタイヤ１２よりも外側に位置しており、ここに横梁３５がそれぞれ連結されている。
各横梁３５は、左右方向の両端部が各タイヤ１２よりも外側に位置しており、タイヤ１２を前後方向の両側から挟むように配置されている。各横梁３５において、左右方向の両端部には、案内輪支持アーム３６を介して案内輪３３がそれぞれ取り付けられている。
【００３２】
図３、図４に示すように、案内輪支持アーム３６は、基端部が上下方向に沿って延びるアーム軸Ｏ１周りに横梁３５に対して揺動可能に支持されている。案内輪支持アーム３６の先端部には、案内輪支持アーム３６を上下方向に貫通する輪軸３７が設けられている。図４に示すように、輪軸３７のうち、上端部には主案内輪３３ａを回転可能に支持する主案内輪軸４１が連結され、下端部には分岐案内輪３３ｂを回転可能に支持する分岐案内輪軸４２が連結されている。
【００３３】
主案内輪軸４１は、軸心Ｏ２が輪軸３７の軸心Ｏ３に対して偏心して輪軸３７に連結されている。また、主案内輪軸４１は、図示しない調整機構を介して輪軸３７に連結されており、その偏心位置を輪軸３７の軸心Ｏ３周りに調整できるようになっている。本実施形態では、主案内輪軸４１の軸心Ｏ２が、輪軸３７の軸心Ｏ３に対して前後方向で離間した初期位置（図３参照）と、輪軸３７の軸心Ｏ３に対して左右方向の外側に位置する最終位置（図６参照）と、これら初期位置と最終位置との間に位置する中間位置（図５参照）と、の３段階で調整可能となっている。
【００３４】
図７に示すように、主案内輪３３ａは、筒状の芯金部５１と、芯金部５１の外周面に一体的に接合された車輪本体５２と、を備えている。なお、以下の説明では、主案内輪軸４１の軸心Ｏ２方向を単に軸方向、軸心Ｏ２に直交する方向を径方向、軸心Ｏ２周りに周回する方向を周方向とする。この場合、軸方向は、車両１の上下方向に一致している。
【００３５】
芯金部５１は、上述した主案内輪軸４１の軸心Ｏ２と同軸に沿って延在するとともに、その軸方向に沿う中央部には径方向の内側に向けて内フランジ部５３が突設されている。そして、芯金部５１内のうち、内フランジ部５３よりも下方に位置する部分には図示しない軸受が配設され、この軸受を介して主案内輪３３ａが上述した主案内輪軸４１に回転可能に支持されている。なお、芯金部５１には、芯金部５１を上方から覆うように蓋部５５（図７（ｂ）参照）が固定され、芯金部５１内（軸受等）への塵埃や水等の進入を防いでいる。
【００３６】
車輪本体５２は、透明または半透明等、光透過性を有する材料（例えばウレタンゴムやナイロン等の弾性体）からなる中実の筒状を呈し、外部から内部を視認可能とされている。また、車輪本体５２は、その内周面が芯金部５１の外周面に加硫接着等により一体的に接合されている。具体的に、車輪本体５２は、主案内レール６ａに接する環状のトレッド部６１と、軸方向に沿うトレッド部６１の両端縁に連設され、径方向の内側に向けて延びる一対のサイドウォール部６２と、を備えている。
【００３７】
トレッド部６１は、軸方向に沿って延びる平坦面とされている。
各サイドウォール部６２は、径方向の外側に向かうに従い軸方向の内側に向けて傾斜している。したがって、車輪本体５２は、径方向の外側に向かうに従い軸方向に沿うタイヤ幅が漸次狭くなっている。
【００３８】
ここで、各サイドウォール部６２には、軸方向の外側に向けて突出する複数の突条部６３ａ，６３ｂが車輪本体５２に一体的に形成されている。各突条部６３ａ，６３ｂは、車輪本体５２の摩耗状況を判断するための摩耗表示部であって、各サイドウォール部６２の周方向の全周に亘って環状に形成されるとともに、径方向から見た側面視において軸方向の外側に向かうに従い径方向の幅が漸次先細る三角形状とされている。
【００３９】
各突条部６３ａ，６３ｂは、トレッド部６１に対して径方向の内側に間隔をあけて配置された第１突条部６３ａと、第１突条部６３ａに対して径方向の内側に間隔をあけて配置された第２突条部６３ｂと、を有している。各突条部６３ａ，６３ｂは、同軸状に形成されるとともに、トレッド部６１及び第１突条部６３ａ間の間隔と、各突条部６３ａ，６３ｂ間と、径方向に沿う間隔はそれぞれ同等（例えば、３ｍｍ程度）となっている。
【００４０】
図４に示すように、分岐案内輪軸４２は、輪軸３７に同軸状に連結され、図示しない軸受を介して分岐案内輪３３ｂを回転可能に支持している。なお、分岐案内輪３３ｂは、上述した主案内輪３３ａよりも小径に形成されている以外は、上述した主案内輪３３ａと同様の構成を採用することができるため、その詳細な説明は省略する。また、本実施形態では、輪軸３７、主案内輪軸４１、及び分岐案内輪軸４２をそれぞれ別体で形成した場合について説明したが、これに限らず、輪軸３７、主案内輪軸４１、及び分岐案内輪軸４２が一体で形成されるとともに、そのうち主案内輪軸４１が輪軸３７の軸心Ｏ３に対して偏心したクランク軸を採用しても構わない。
【００４１】
図１に示すように、上述した案内枠３１は、旋回軸受７１を介して懸架装置１３（車軸支持体２１）に旋回可能に支持されている。旋回軸受７１は、外輪及び内輪のうち、何れか一方が車軸支持体２１に固定され、他方が案内枠３１に固定されている。これにより、案内枠３１は、車軸支持体２１に対して上下方向に沿って延びる旋回軸Ｏ４周り旋回可能とされている。なお、図示の例において、旋回軸Ｏ４は、案内枠３１の前後及び左右の中央部に位置している。
【００４２】
操舵機構１５は、旋回軸Ｏ４周りの案内枠３１の旋回に連動して、タイヤ１２の操舵角を変えるものであって、上述した各キングピンを基準にしてタイヤ１２（タイヤ取付軸１６）と一体的に揺動するステアリングアーム７２と、各ステアリングアーム７２と案内枠３１とを各別に連結するステアリングロッド７３と、を有している。
【００４３】
ステアリングロッド７３は、左右方向に沿って延在するとともに、その外側端部はステアリングアーム７２の前端部にピン結合され、内側端部は案内枠３１にピン結合されている。
すなわち、案内枠３１が旋回軸Ｏ４を中心として旋回すると、旋回に伴ってステアリングロッド７３が変位し、ステアリングアーム７２を介してタイヤ取付軸１６をキングピン周りに回転させる。これにより、タイヤ１２が操舵されるようになっている。
【００４４】
このように構成された車両１において、走行時に主案内輪３３ａが主案内レール６ａに接触すると、主案内輪３３ａが転動するとともに、主案内レール６ａから主案内輪３３ａに向けて反力が作用する。主案内輪３３ａが反力を受けると、主案内輪３３ａが上述した案内枠３１の横梁３５を左右方向の内側に向けて押圧することで、案内枠３１が旋回軸Ｏ４周りに旋回することになる。
【００４５】
例えば、車両１が軌道５の曲線部を走行する場合は、各主案内輪３３ａのうち前方かつ外軌側に位置する主案内輪３３ａが、曲線部の外軌側に配置される主案内レール６ａから左右方向の内側に向けて反力を受ける。そして、前方かつ外軌側に位置する主案内輪３３ａが受ける反力は、案内枠３１における前側の横梁３５に伝達されることで、案内枠３１が旋回軸Ｏ４回りに回動する。なお、案内枠３１の旋回量は、主案内レール６ａの曲率半径の大きさに応じて変化する。
そして、案内枠３１が旋回軸Ｏ４周りに旋回すると、この旋回に伴ってステアリングロッド７３が変位し、ステアリングアーム７２を介してタイヤ取付軸１６をキングピン周りに回転させる。これにより、曲線部の曲率半径に応じてタイヤ１２が操舵されることで、車両１を曲線部に沿って円滑に走行させることができる。
【００４６】
ここで、図３に示すように、本実施形態において、案内装置１４のメンテナンス時に主案内輪３３ａの摩耗状況を確認する場合は、主案内輪３３ａを上方から目視により確認する。そして、図５に示すように、摩耗が主案内輪３３ａの第１突条部６３ａまで進行したことを確認した時点で、主案内輪３３ａの偏心位置の調整を行う。具体的には、図示しない調整機構を介して主案内輪軸４１（図４参照）を輪軸３７の軸心Ｏ３周りに回転させることで、初期位置から中間位置に偏心位置を調整する。これにより、主案内輪軸４１が初期位置に対して左右方向の外側に移動することになり、案内幅を所望の幅に維持することが可能となる。
【００４７】
また、図６に示すように、主案内輪３３ａの摩耗が第２突条部６３ｂまで進行したことを確認すると、主案内輪３３ａの偏心位置を中間位置から最終位置に調整する。なお、中間位置から最終位置への偏心位置の調整は、上述した方法と同様の手順により行うことができる。これにより、主案内輪軸４１が中間位置よりも左右方向の外側に移動することで、所望の案内幅を維持できる。また、その後さらに摩耗が進行したことを確認すると、主案内輪３３ａの交換作業を行う。
【００４８】
このように、本実施形態によれば、主案内輪３３ａのサイドウォール部６２に突条部６３ａ，６３ｂを形成することで、主案内輪３３ａの摩耗状況を目視により確認することができる。これにより、従来のようにスケールや治具等を用いて摩耗状況を確認する場合に比べて、メンテナンス作業が容易になり、メンテナンス性の向上を図ることができる。
また、径方向に沿うトレッド部６１と突条部６３ａ，６３ｂとの距離に基づき、摩耗の限度を判断できるので、各主案内輪３３ａごとの交換時期や偏心位置の調整時期等の管理が行い易くなる。
【００４９】
しかも、本実施形態では、サイドウォール部６２に突条部６３ａ，６３ｂを形成することで、軸方向が上下方向に一致するように設けられた主案内輪３３ａに対して、主案内輪３３ａを軸方向から見た平面視で摩耗状況を確認することができる。したがって、例えば主案内輪３３ａのトレッド部６１に摩耗表示部を形成し、主案内輪３３ａの径方向から見た側面視で摩耗状況を確認する場合に比べてメンテナンス性の更なる向上を図ることができる。
【００５０】
ところで、案内装置１４の主案内輪３３ａは、車両１の走行時において常に回転しているのではなく、主案内レール６ａに接触した時点で回転を始めることから、トレッド部６１の摩耗状況が周方向でばらつく、いわゆる異常摩耗が発生するおそれがある。異常摩耗としては、トレッド部６１が軸方向から見た平面視で多角形状に摩耗する多角形摩耗や、トレッド部６１のうち一部が局所的に平面状に摩耗するフラット摩耗等がある。
これに対して、本実施形態では、サイドウォール部６２の全周に亘って突条部６３ａ，６３ｂを形成することで、仮に異常摩耗が発生した場合には、径方向に沿う異常摩耗の発生部分と突条部６３ａ，６３ｂとの距離が、異常摩耗の発生以外の部分と突条部６３ａ，６３ｂとの距離に比べて異なることにより、異常摩耗の発生を容易に判断することができる。
【００５１】
また、突条部６３ａ，６３ｂが径方向に間隔をあけて複数設けられているため、トレッド部６１の摩耗状況を段階的に判断することも可能になる。これにより、主案内輪３３ａの偏心位置の調整時期や交換時期等を適切に判断することができる。
さらに、摩耗表示部を突条部６３ａ，６３ｂとすることで、摩耗状況を視覚により判断し易くなる。
【００５２】
そして、本実施形態の車両１及び走行台車２によれば、上述した案内輪を備えているため、メンテナンス性に優れ、安定した走行が可能な車両１及び走行台車２を提供できる。
【００５３】
［変形例］
なお、上述した実施形態では、軸方向の外側に向けて突出する突条部６３ａ，６３ｂをサイドウォール部６２に形成する場合について説明したが、これに限られない。
例えば、図８に示すように、サイドウォール部６２に、軸方向の内側に向けて窪む凹状の溝部１０１ａ，１０１ｂを全周に亘って形成しても構わない。溝部１０１ａ，１０１ｂは、径方向から見た側面視において、軸方向の内側に向かうに従い径方向に沿う幅が漸次先細る三角形状とされている。また、溝部１０１ａ，１０１ｂは、トレッド部６１に対して径方向の内側に間隔をあけて配置された第１溝部１０１ａと、第１溝部１０１ａに対して径方向の内側に間隔をあけて配置された第２溝部１０１ｂと、を有している。
この構成によれば、上述した実施形態と同様の作用効果を奏する。
【００５４】
［第２実施形態］
次に、本発明の第２実施形態について説明する。本実施形態では、トレッド部６１に摩耗表示部が形成されている点で上述した第１実施形態と相違している。なお、以下の説明では上述した第１実施形態と同様の構成については同一の符号を付して説明を省略する。
図９に示すように、本実施形態の摩耗表示部２００は、主案内輪３３ａのトレッド部６１において、径方向の内側に向けて窪む複数の穴部２０１ａ，２０１ｂを備えている。これら穴部２０１ａ，２０１ｂは、第１穴部２０１ａと、第１穴部２０１ａに比べて径方向に沿う深さが浅い第２穴部２０１ｂと、を備えている。これら第１穴部２０１ａ及び第２穴部２０１ｂは、軸方向及び周方向にそれぞれ間隔をあけるとともに、互い違いに配列されている。すなわち、第１穴部２０１ａ及び第２穴部２０１ｂのうち、一方の穴部（例えば、第１穴部２０１ａ）に対して軸方向及び周方向に隣接する穴部が、他方の穴部（例えば、第２穴部２０１ｂ）になるように配列されている。
【００５５】
この構成によれば、トレッド部６１の摩耗状況に伴って径方向から見たトレッド部６１の側面視形状が変化することになる。具体的には、第１穴部２０１ａ及び第２穴部２０１ｂが外部に露出した状態を初期状態とすると、トレッド部６１の摩耗が進行することで、第２穴部２０１ｂが消滅して、第１穴部２０１ａのみが残存する。その後、さらに摩耗が進行することで、第１穴部２０１ａも消滅することになる。これにより、トレッド部６１の摩耗状況を目視により確認することができ、メンテナンス性の向上を図ることができる。
【００５６】
また、主案内輪３３ａが光透過性を有する材料により形成されているため、主案内輪３３ａの内部が目視可能になる。この場合、トレッド部６１に形成された穴部２０１ａ，２０１ｂの摩耗状況を、主案内輪３３ａを上方から見た平面視で確認することができる。これにより、メンテナンス性の向上を図ることができる。
【００５７】
［変形例］
なお、上述した第２実施形態では、摩耗表示部２００が径方向に沿う深さの異なる複数の穴部２０１ａ，２０１ｂを備える構成について説明したが、これに限られない。例えば、図１０に示すように、径方向の内側に向かうに従い内径が異なる穴部２０２を摩耗表示部２０３として構成しても構わない。
具体的に、図１０に示す穴部２０２は、径方向の内側に向かうに従い段々と内径が縮小する段付き穴になっており、大径部２０２ａと、大径部２０２ａにおける径方向の内側に連設された小径部２０２ｂと、を有している。そして、この穴部２０２がトレッド部６１において周方向及び軸方向に間隔をあけて形成されている。なお、図示の例において、穴部２０２が周方向に間隔をあけて１２箇所配列されてなる穴列が、軸方向に間隔をあけて３列形成されている。
【００５８】
この構成によれば、大径部２０２ａが外部に露出している状態と、大径部２０２ａが摩耗により削られて小径部２０２ｂが外部に露出している状態と、で外部に露出している穴部２０２の内径が変化することになる。これにより、トレッド部６１の摩耗状況に伴って径方向から見たトレッド部６１の側面視形状が変化することになり、トレッド部６１の摩耗状況を目視により確認することができる。
【００５９】
なお、本発明の技術範囲は上述した実施形態に限られるものではなく、本発明の趣旨を逸脱しない範囲において、上述した実施形態に種々の変更を加えたものを含む。すなわち、実施形態で挙げた具体的な構造や形状などはほんの一例に過ぎず、適宜変更が可能である。
例えば、上述した実施形態では、軌道系交通システムの車両に本発明の走行台車を採用する構成について説明したが、これに限らず、種々の車両に採用することが可能である。
また、上述した実施形態では、案内装置１４の変位に応じてタイヤ１２を操舵する操舵機構１５を設ける構成について説明したが、例えばボギー台車等、操舵機構１５を設けない構成としても構わない。
【００６０】
また、上述した実施形態では、摩耗状況が２段階で判断できるように摩耗表示部（突条部６３ａ，６３ｂや溝部１０１ａ，１０１ｂ、各穴部２０１ａ，２０１ｂ，２０２）を形成した場合について説明したが、これに限らず、１段階や３段階以上の複数段階の摩耗状況を判断できるように形成しても構わない。
また、突条部６３ａ，６３ｂや溝部１０１ａ，１０１ｂ、穴部２０１ａ，２０１ｂ，２０２の形状は、適宜設計変更が可能である。
さらに、上述した第１実施形態では、摩耗表示部としてサイドウォール部６２に突条部６３ａ，６３ｂや溝部１０１ａ，１０１ｂを形成した場合について説明したが、これに限られない。例えば、マーク等であっても構わない。
【００６１】
また、上述した第２実施形態では、摩耗表示部２００，２０３としてトレッド部６１の周方向及び軸方向に間隔をあけて穴部を形成した場合について説明したが、これに限らず、例えば周方向の全周に亘って延びる溝部を備えていても構わない。そして、この溝部を、径方向の内側に向かうに従い幅が縮小するように形成することで、摩耗の進行に伴い外部に露出する溝部の幅が変化することになる。これにより、トレッド部６１の摩耗状況に伴って径方向から見たトレッド部６１の側面視形状が変化することになり、トレッド部６１の摩耗状況を目視により確認することができる。
【００６２】
さらに、上述した実施形態では、主案内輪３３ａが光透過性を有する材料により形成された構成について説明したが、これに限らず、種々の材料により形成することが可能である。
また、車輪本体５２は、弾性体に限らず金属製（鉄、銅、アルミ等）であっても良い。この場合、芯金部５１に対する車輪本体５２の固定は、加硫接着ではなく、円筒形状やセレーション形状による圧入やビス止め、またはストッパー等を採用することが好ましい。
【００６３】
また、上述した実施形態では、主案内輪３３ａに本発明を適用した場合について説明したが、これに限らず、分岐案内輪３３ｂにも本発明を適用することが可能である。
さらに、上述した実施形態では、主案内輪３３ａが中実である構成について説明したが、これに限らず、中空であっても構わない。
また、上述した実施形態では、主案内輪３３ａを輪軸３７に対して偏心して取り付ける構成について説明したが、これに限らず、輪軸３７と同軸状に取り付けても構わない。
【符号の説明】
【００６４】
１…車両
２…走行台車
３…車体
５…軌道
６…案内レール
６ａ…主案内レール（案内レール）
６ｂ…分岐案内レール（案内レール）
１１…車軸
１２…タイヤ（走行輪）
１４…案内装置
３３…案内輪
３３ａ…主案内輪（案内輪）
３３ｂ…分岐案内輪（案内輪）
６１…トレッド部
６２…サイドウォール部
６３ａ…第１突条部（摩耗表示部）
６３ｂ…第２突条部（摩耗表示部）
１０１ａ…第１溝部（摩耗表示部）
１０１ｂ…第２溝部（摩耗表示部）
２００，２０３…摩耗表示部
２０１ａ…第１穴部（穴部）
２０１ｂ…第２穴部（穴部）
２０２…穴部
【図１】
2015113046.tif 000003
【図２】
2015113046.tif 000004
【図３】
2015113046.tif 000005
【図４】
2015113046.tif 000006
【図５】
2015113046.tif 000007
【図６】
2015113046.tif 000008
【図７】
2015113046.tif 000009
【図８】
2015113046.tif 000010
【図９】
2015113046.tif 000011
【図１０】
2015113046.tif 000012
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内するとともに、輪軸の軸心に対して偏心して連結されて、偏心位置を該輪軸の軸心に対して前後方向で離間した初期位置と、該輪軸の軸心に対して左右方向の外側に位置する最終位置と、これら初期位置と最終位置との間に位置する中間位置と、の３段階で調整可能な案内輪であって、
前記サイドウォール部には、周方向の全周に亘って摩耗表示部が設けられ、
前記摩耗表示部は、径方向に間隔をあけて複数設けられていることを特徴とする案内輪。
【請求項２】
請求項１記載の案内輪において、
前記摩耗表示部は、軸方向に沿って凹状または凸状を呈していることを特徴とする案内輪。
【請求項３】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内するとともに、輪軸の軸心に対して偏心して連結されて、偏心位置を該輪軸の軸心に対して前後方向で離間した初期位置と、該輪軸の軸心に対して左右方向の外側に位置する最終位置と、これら初期位置と最終位置との間に位置する中間位置と、の３段階で調整可能な案内輪であって、
前記トレッド部には、径方向の内側に向けて窪むとともに、径方向から見た前記トレッド部の側面視形状が摩耗に伴って変化する摩耗表示部が設けられ、
前記摩耗表示部は、径方向に沿う深さが異なる複数の穴部を備えていることを特徴とする案内輪。
【請求項４】
請求項３記載の案内輪において、
前記摩耗表示部は、径方向の内側に向かうに従い内径が縮小する穴部を備えていることを特徴とする案内輪。
【請求項５】
請求項３記載の案内輪において、
前記摩耗表示部は、前記トレッド部の全周に亘って延びるとともに、径方向の内側に向かうに従い幅が縮小する溝部を備えていることを特徴とする案内輪。
【請求項６】
請求項１から請求項５の何れか１項に記載の案内輪において、
光透過性を有する材料により構成されていることを特徴とする案内輪。
【請求項７】
車軸に連結された走行輪と、
前記案内レールに案内される案内装置と、を備え、
前記案内装置は、請求項１から請求項６の何れか１項に記載の案内輪を有していることを特徴とする走行台車。
【請求項８】
車体と、
前記車体の下部に設けられた請求項７記載の走行台車と、を備えていることを特徴とする車両。
【手続補正２】
【補正対象書類名】明細書
【補正対象項目名】０００９
【補正方法】変更
【補正の内容】
【０００９】
上記課題を解決するために、本発明に係る案内輪では、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内するとともに、輪軸の軸心に対して偏心して連結されて、偏心位置を該輪軸の軸心に対して前後方向で離間した初期位置と、該輪軸の軸心に対して左右方向の外側に位置する最終位置と、これら初期位置と最終位置との間に位置する中間位置と、の３段階で調整可能な案内輪であって、前記サイドウォール部には、周方向の全周に亘って摩耗表示部が設けられ、前記摩耗表示部は、径方向に間隔をあけて複数設けられていることを特徴とする。
【手続補正３】
【補正対象書類名】明細書
【補正対象項目名】００１２
【補正方法】変更
【補正の内容】
【００１２】
また、前記摩耗表示部は、径方向に間隔をあけて複数設けられているため、トレッド部の摩耗状況を段階的に判断することも可能になる。これにより、案内輪の偏心位置の調整時期や交換時期等を適切に判断することができる。
【手続補正４】
【補正対象書類名】明細書
【補正対象項目名】００１４
【補正方法】変更
【補正の内容】
【００１４】
また、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内するとともに、輪軸の軸心に対して偏心して連結されて、偏心位置を該輪軸の軸心に対して前後方向で離間した初期位置と、該輪軸の軸心に対して左右方向の外側に位置する最終位置と、これら初期位置と最終位置との間に位置する中間位置と、の３段階で調整可能な案内輪であって、前記トレッド部には、径方向の内側に向けて窪むとともに、径方向から見た前記トレッド部の側面視形状が摩耗に伴って変化する摩耗表示部が設けられ、前記摩耗表示部は、径方向に沿う深さが異なる複数の穴部を備えていることを特徴とする。
この構成によれば、トレッド部の摩耗状況に伴って径方向から見たトレッド部の側面視形状が変化する摩耗表示部を設けることで、案内輪の摩耗状況を目視により確認することができる。これにより、従来のようにスケールや治具等を用いて摩耗状況を確認する場合に比べて、メンテナンス作業が容易になり、メンテナンス性の向上を図ることができる。
また、径方向から見たトレッド部の側面視形状に基づき、摩耗の限度を判断できるので、各案内輪ごとの交換時期や偏心位置の調整時期等の管理が行い易くなる。
【手続補正５】
【補正対象書類名】明細書
【補正対象項目名】００１５
【補正方法】変更
【補正の内容】
【００１５】
また、前記摩耗表示部は、径方向に沿う深さが異なる複数の穴部を備えていることで、複数の穴部が外部に露出した状態を初期状態とすると、トレッド部の摩耗が進行することで、深さの浅い穴部から徐々に消滅することになる。これにより、トレッド部の摩耗状況を目視により確認することができ、メンテナンス性の向上を図ることができる。
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内するとともに、前記車両の上下方向に延びる輪軸の軸心に対して偏心して連結されて、偏心位置を該輪軸の軸心に対して前記車両の前後方向で離間した初期位置と、該輪軸の軸心に対して前記車両の左右方向の外側に位置する最終位置と、これら初期位置と最終位置との間に位置する中間位置と、の３段階で調整可能な案内輪であって、
前記サイドウォール部には、周方向の全周に亘って摩耗表示部が設けられ、
前記摩耗表示部は、径方向に間隔をあけて複数設けられて軸方向に沿って凹状または凸状を呈し、
前記摩耗表示部は、前記トレッド部に対して径方向の内側に間隔をあけて配置された第１突条部と、該第１突条部に対して径方向の内側に間隔をあけて配置された第２突条部とを有し、又は、前記摩耗表示部は、前記トレッド部に対して径方向の内側に間隔をあけて配置された第１溝部と、該第１溝部に対して径方向の内側に間隔をあけて配置された第２溝部とを有し、
前記第１突条部及び前記第１溝部は、摩耗が前記第１突条部及び前記第１溝部まで進行したことを確認した時点で、前記偏心位置を前記初期位置から前記中間位置に調整するように形成され、
前記第２突条部及び前記第２溝部は、摩耗が前記第２突条部及び前記第２溝部まで進行したことを確認した時点で、前記偏心位置を前記中間位置から前記最終位置に調整するように形成され、
ていることを特徴とする案内輪。
【請求項２】
軌道に沿って延在する案内レールに接する環状のトレッド部と、
前記トレッド部の軸方向における両端縁に連設され、径方向の内側に向けて延びる一対のサイドウォール部と、を備え、
車両を前記軌道に沿って案内するとともに、前記車両の上下方向に延びる輪軸の軸心に対して偏心して連結されて、偏心位置を該輪軸の軸心に対して前記車両の前後方向で離間した初期位置と、該輪軸の軸心に対して前記車両の左右方向の外側に位置する最終位置と、これら初期位置と最終位置との間に位置する中間位置と、の３段階で調整可能な案内輪であって、
前記トレッド部には、径方向の内側に向けて窪むとともに、径方向から見た前記トレッド部の側面視形状が摩耗に伴って変化する摩耗表示部が設けられ、
前記摩耗表示部は、径方向に沿う深さが異なる複数の穴部を備え、
前記穴部は、第１穴部と、該第１穴部に比べて径方向に沿う深さが浅い第２穴部と、を備え、
前記第２穴部は、摩耗が前記第２穴部が消滅するまで進行したことを確認した時点で、前記偏心位置を前記初期位置から前記中間位置に調整するように形成され、
前記第１穴部は、摩耗が前記第１穴部が消滅するまで進行したことを確認した時点で、前記偏心位置を前記中間位置から前記最終位置に調整するように形成され、
ていることを特徴とする案内輪。
【請求項３】
請求項２に記載の案内輪において、
前記摩耗表示部は、径方向の内側に向かうに従い内径が縮小する穴部を備えていることを特徴とする案内輪。
【請求項４】
請求項１から請求項３の何れか１項に記載の案内輪において、
光透過性を有する材料により構成されていることを特徴とする案内輪。
【請求項５】
車軸に連結された走行輪と、
前記案内レールに案内される案内装置と、を備え、
前記案内装置は、請求項１から請求項４の何れか１項に記載の案内輪を有していることを特徴とする走行台車。
【請求項６】
車体と、
前記車体の下部に設けられた請求項５に記載の走行台車と、を備えていることを特徴とする車両。
【手続補正２】
【補正対象書類名】明細書
【補正対象項目名】０００９
【補正方法】変更
【補正の内容】
【０００９】
上記課題を解決するために、本発明に係る案内輪では、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内するとともに、前記車両の上下方向に延びる輪軸の軸心に対して偏心して連結されて、偏心位置を該輪軸の軸心に対して前記車両の前後方向で離間した初期位置と、該輪軸の軸心に対して前記車両の左右方向の外側に位置する最終位置と、これら初期位置と最終位置との間に位置する中間位置と、の３段階で調整可能な案内輪であって、前記サイドウォール部には、周方向の全周に亘って摩耗表示部が設けられ、前記摩耗表示部は、径方向に間隔をあけて複数設けられて軸方向に沿って凹状または凸状を呈し、前記摩耗表示部は、前記トレッド部に対して径方向の内側に間隔をあけて配置された第１突条部と、該第１突条部に対して径方向の内側に間隔をあけて配置された第２突条部とを有し、又は、前記摩耗表示部は、前記トレッド部に対して径方向の内側に間隔をあけて配置された第１溝部と、該第１溝部に対して径方向の内側に間隔をあけて配置された第２溝部とを有し、前記第１突条部及び前記第１溝部は、摩耗が前記第１突条部及び前記第１溝部まで進行したことを確認した時点で、前記偏心位置を前記初期位置から前記中間位置に調整するように形成され、前記第２突条部及び前記第２溝部は、摩耗が前記第２突条部及び前記第２溝部まで進行したことを確認した時点で、前記偏心位置を前記中間位置から前記最終位置に調整するように形成され、ていることを特徴とする。
【手続補正３】
【補正対象書類名】明細書
【補正対象項目名】００１３
【補正方法】変更
【補正の内容】
【００１３】
また、前記摩耗表示部は、軸方向に沿って凹状または凸状を呈しているため、摩耗状況を視覚により判断し易くなる。
【手続補正４】
【補正対象書類名】明細書
【補正対象項目名】００１４
【補正方法】変更
【補正の内容】
【００１４】
また、軌道に沿って延在する案内レールに接する環状のトレッド部と、前記トレッド部の軸方向における両端縁に連設され、径方向の内側に向けて延びる一対のサイドウォール部と、を備え、車両を前記軌道に沿って案内するとともに、前記車両の上下方向に延びる輪軸の軸心に対して偏心して連結されて、偏心位置を該輪軸の軸心に対して前記車両の前後方向で離間した初期位置と、該輪軸の軸心に対して前記車両の左右方向の外側に位置する最終位置と、これら初期位置と最終位置との間に位置する中間位置と、の３段階で調整可能な案内輪であって、前記トレッド部には、径方向の内側に向けて窪むとともに、径方向から見た前記トレッド部の側面視形状が摩耗に伴って変化する摩耗表示部が設けられ、前記摩耗表示部は、径方向に沿う深さが異なる複数の穴部を備え、前記穴部は、第１穴部と、該第１穴部に比べて径方向に沿う深さが浅い第２穴部と、を備え、前記第２穴部は、摩耗が前記第２穴部が消滅するまで進行したことを確認した時点で、前記偏心位置を前記初期位置から前記中間位置に調整するように形成され、前記第１穴部は、摩耗が前記第１穴部が消滅するまで進行したことを確認した時点で、前記偏心位置を前記中間位置から前記最終位置に調整するように形成され、ていることを特徴とする。
この構成によれば、トレッド部の摩耗状況に伴って径方向から見たトレッド部の側面視形状が変化する摩耗表示部を設けることで、案内輪の摩耗状況を目視により確認することができる。これにより、従来のようにスケールや治具等を用いて摩耗状況を確認する場合に比べて、メンテナンス作業が容易になり、メンテナンス性の向上を図ることができる。
また、径方向から見たトレッド部の側面視形状に基づき、摩耗の限度を判断できるので、各案内輪ごとの交換時期や偏心位置の調整時期等の管理が行い易くなる。
【手続補正５】
【補正対象書類名】明細書
【補正対象項目名】００１７
【補正方法】削除
【補正の内容】